(57)【特許請求の範囲】
【請求項１】
室内に空気を吹き出す吹出口、吹出口に設けた吹出ルーバ、室内空気を吸い込む吸込口、室内ファン、第１室内熱交換器、第２室内熱交換器及び前記第１室内熱交換器と第２室内熱交換器の間に介装され絞り有りの状態と絞りなしの状態に切換え可能な減圧装置とを収納すると共に、前記室内ファンと前記減圧装置とを制御する制御装置を設けた室内ユニットを備えた空気調和機において、
前記制御装置は、前記減圧装置を絞りなしとして前記第１室内熱交換器および第２室内熱交換器を蒸発器として作用させる冷房運転と、前記室内ファンを比較的低速の風量に制御し、かつ前記減圧装置を絞り有りとして前記第１室内熱交換器を凝縮器、第２室内熱交換器を蒸発器として作用させ吹出ルーバを水平位置とした除湿運転と、前記室内ファンを除湿運転時よりさらに低速の風量に制御し、かつ前記減圧装置を絞り有りとして前記第１室内熱交換器を凝縮器、第２室内熱交換器を蒸発器として作用させ吹出ルーバを吹出口から水平よりやや上向きに吹き出される位置とするサイクルドライ運転とを可能とし、前記冷房運転の終了か、前記除湿運転の終了かを判断する終了モード判別手段と、前記冷房運転の終了時は、所定時間前記サイクルドライ運転を行なった後、所定時間送風運転を行なう乾燥モードを選択し、前記除湿運転の終了時は、所定時間送風運転を行なう乾燥運転モードを選択する乾燥運転制御手段を備えていることを特徴とする空気調和機。
【請求項２】
室内に空気を吹き出す吹出口、吹出口に設けた吹出ルーバ、室内空気を吸い込む吸込口、室内ファン、第１室内熱交換器、第２室内熱交換器及び前記第１室内熱交換器と第２室内熱交換器の間に介装され絞り有りの状態と絞りなしの状態に切換え可能な減圧装置とを収納すると共に、前記室内ファンと前記減圧装置とを制御する制御装置を設けた室内ユニットを備えた空気調和機において、
前記制御装置は、前記減圧装置を絞りなしとして前記第１室内熱交換器および第２室内熱交換器を蒸発器として作用させる冷房運転と、前記減圧装置を絞りなしとして前記第１室内熱交換器および第２室内熱交換器を凝縮器として作用させる暖房運転と、前記室内ファンを比較的低速の風量に制御し、かつ前記減圧装置を絞り有りとして前記第１室内熱交換器を凝縮器、第２室内熱交換器を蒸発器として作用させ吹出ルーバを水平位置とした除湿運転と、前記室内ファンを除湿運転時よりさらに低速の風量に制御し、かつ前記減圧装置を絞り有りとして前記第１室内熱交換器を凝縮器、第２室内熱交換器を蒸発器として作用させ吹出ルーバを吹出口から水平よりやや上向きに吹き出される位置とするサイクルドライ運転とを可能とし、前記冷房運転の終了か、前記除湿運転の終了かを判断する終了モード判別手段と、前記冷房運転の終了時は、所定時間前記サイクルドライ運転を行なった後、所定時間送風又は暖房運転を行なう乾燥モードを選択し、前記除湿運転の終了時は、所定時間送風または暖房運転を行なう乾燥運転モードを選択する乾燥運転制御手段を備えていることを特徴とする空気調和機。
【発明の詳細な説明】
【０００１】
【発明の属する技術分野】
本発明は、室内ユニット内の雑菌やかびの繁殖を防止するようにした空気調和機に関する。
【０００２】
【従来の技術】
周知の通り、室外ユニットと室内ユニットとを設けて構成される空気調和機では、その室内ユニットの内部に設けられた室内熱交換器と室内空気との間での熱交換を促進させるために室内ファンを設け、室内ファンにより室内空気を室内ユニット内に吸い込み、吸い込んだ室内空気を室内熱交換器に送り込んで熱交換させ、熱交換後の空気を再び室内に吹き出すようにしている。
【０００３】
このため、室内ユニット内には室内空気といっしょに吸い込まれ、室内ユニット内部壁面や内部に設けられた室内ファンや室内熱交換器等にごみや埃が付着し易く、こうした付着したごみや埃に含まれる雑菌やかびが繁殖するという問題がある。特に、冷房運転停止後には、室内熱交換器で凝縮した凝縮水が室内ユニット内で蒸発し、室内ユニット内部の湿度が高くなるため、雑菌やかびの繁殖がより多くなるという問題がある。
【０００４】
そして、これらの雑菌やかびが繁殖すると、空気調和機の運転時に悪臭を発生させたり、室内にこれら雑菌やかびの胞子が吹き出されたりする可能性もあり、衛生上好ましくない。また、室内熱交換器や室内ファンに付着したかびが繁殖すると、通風経路の抵抗となったり、室内ファンの風量が低下したりして、空気調和機の性能の低下を招く虞もある。
【０００５】
このような雑菌やかびの繁殖は、冷房運転停止後において、室内ユニット内が高温多湿状態になることが主原因である。そこで、冷房運転終了直後に、送風運転又は暖房運転することによって乾燥運転を実行し、室内ユニット内の水分を蒸発させて湿度を低下させ、雑菌やかびの繁殖を防止する方法が知られている。
【０００６】
しかしながら、送風運転による乾燥運転では、室内ユニット内の水分がなくなるまでに長時間を必要とし、また室内ユニット内で蒸発した水分の全てが室内に放出され、室内の湿度を上昇させて、室内雰囲気を不快なものとしてしまうという問題がある。一方、暖房運転による乾燥運転では、乾燥させるまでの時間は短いが、冷房終了後の室内に高温多湿空気が吹き出し、室内雰囲気をより不快で快適性を損なうものとしてしまうという問題がある。
【０００７】
【発明が解決しようとする課題】
上記のような状況に鑑みて本発明はなされたもので、その目的とするところは、空気調和している室内への多湿空気の吹き出しを低減し、居住者に不快感を与える虞が少なく、また室内ユニット内の高温多湿状態を解消するための乾燥運転時間を短縮することができると共に、室内ユニット内の雑菌やかびの繁殖を低減させことができるようにした空気調和機を提供することにある。
【０００８】
【課題を解決するための手段】
本発明の空気調和機は、室内に空気を吹き出す吹出口、吹出口に設けた吹出ルーバ、室内空気を吸い込む吸込口、室内ファン、第１室内熱交換器、第２室内熱交換器及び前記第１室内熱交換器と第２室内熱交換器の間に介装され絞り有りの状態と絞りなしの状態に切換え可能な減圧装置とを収納すると共に、前記室内ファンと前記減圧装置とを制御する制御装置を設けた室内ユニットを備えた空気調和機において、
前記制御装置は、前記減圧装置を絞りなしとして前記第１室内熱交換器および第２室内熱交換器を蒸発器として作用させる冷房運転と、前記室内ファンを比較的低速の風量に制御し、かつ前記減圧装置を絞り有りとして前記第１室内熱交換器を凝縮器、第２室内熱交換器を蒸発器として作用させ吹出ルーバを水平位置とした除湿運転と、前記室内ファンを除湿運転時よりさらに低速の風量に制御し、かつ前記減圧装置を絞り有りとして前記第１室内熱交換器を凝縮器、第２室内熱交換器を蒸発器として作用させ吹出ルーバを吹出口から水平よりやや上向きに吹き出される位置とするサイクルドライ運転とを可能とし、前記冷房運転の終了か、前記除湿運転の終了かを判断する終了モード判別手段と、前記冷房運転の終了時は、所定時間前記サイクルドライ運転を行なった後、所定時間送風運転を行なう乾燥モードを選択し、前記除湿運転の終了時は、所定時間送風運転を行なう乾燥運転モードを選択する乾燥運転制御手段を備えていることを特徴とするものであり、
また、室内に空気を吹き出す吹出口、吹出口に設けた吹出ルーバ、室内空気を吸い込む吸込口、室内ファン、第１室内熱交換器、第２室内熱交換器及び前記第１室内熱交換器と第２室内熱交換器の間に介装され絞り有りの状態と絞りなしの状態に切換え可能な減圧装置とを収納すると共に、前記室内ファンと前記減圧装置とを制御する制御装置を設けた室内ユニットを備えた空気調和機において、
前記制御装置は、前記減圧装置を絞りなしとして前記第１室内熱交換器および第２室内熱交換器を蒸発器として作用させる冷房運転と、前記減圧装置を絞りなしとして前記第１室内熱交換器および第２室内熱交換器を凝縮器として作用させる暖房運転と、前記室内ファンを比較的低速の風量に制御し、かつ前記減圧装置を絞り有りとして前記第１室内熱交換器を凝縮器、第２室内熱交換器を蒸発器として作用させ吹出ルーバを水平位置とした除湿運転と、前記室内ファンを除湿運転時よりさらに低速の風量に制御し、かつ前記減圧装置を絞り有りとして前記第１室内熱交換器を凝縮器、第２室内熱交換器を蒸発器として作用させ吹出ルーバを吹出口から水平よりやや上向きに吹き出される位置とするサイクルドライ運転とを可能とし、前記冷房運転の終了か、前記除湿運転の終了かを判断する終了モード判別手段と、前記冷房運転の終了時は、所定時間前記サイクルドライ運転を行なった後、所定時間送風又は暖房運転を行なう乾燥モードを選択し、前記除湿運転の終了時は、所定時間送風または暖房運転を行なう乾燥運転モードを選択する乾燥運転制御手段を備えていることを特徴とするものである。
【０００９】
【発明の実施の形態】
以下本発明の一実施形態を、図１乃至図８を参照して説明する。図１は室内ユニットの断面図であり、図２は冷凍サイクルを示す図であり、図３は制御回路図であり、図４はリモートコントローラを示す図で、図４（ａ）は平面図、図４（ｂ）はメニュー釦による切換え内容を示す図であり、図５は基本制御のフローチャートであり、図６は制御ブロック図であり、図７は乾燥運転処理時のフローチャートであり、図８は各運転モードにおける各部の動作状態を一覧にして示す図である。
【００１０】
図２及び図３において、空気調和機１は、屋外Ｏに設置された室外ユニット２と、空気調和を行う部屋Ｒ内に設置された室内ユニット３とで構成され、室外ユニット２に設けられた圧縮機４と四方弁５、室外熱交換器６、開度が細かく制御可能な電動膨張弁でなる室外膨張弁７、さらに室内ユニット３に設けられた室内熱交換器８とが冷凍サイクルを形成するように接続され、四方弁５により冷媒の流通方向を冷房運転や除湿運転時には図中の実線矢印方向に、また暖房運転時には図中の点線矢印方向に流れるよう切替えることで設置した部屋Ｒの冷房や暖房、除湿が行えるようになっている。また、室外ユニット２には室外熱交換器６の熱交換を促進する速度可変の室外ファン９が、室内ユニット３には室内熱交換器８の熱交換を促進する速度可変の横流ファンでなる室内ファン１０が設けられている。
【００１１】
さらに、１１は圧縮機４の運転周波数を可変とするよう接続されたインバータで、交流電源１２にメインスイッチ１３を介して接続されている。そして、冷房、暖房運転等を行なっている時には、インバータ１１は室内温度負荷（部屋Ｒの室温と設定温度の差）に応じて制御され、電動膨張弁でなる室外膨張弁７は、その開度が冷凍サイクル状態に応じて制御されるようになっている。なお、図示しないが室外ユニット２と室内ユニット３の各部に交流電源１２からの所要の給電が行なえるようになっている。
【００１２】
また、室内熱交換器８は、図１に示すように後側熱交換部８ａと、これより大きい前側熱交換部８ｂとに分かれており、後側熱交換部８ａと前側熱交換部８ｂとが絞付き二方弁でなる室内絞り弁１４を介して接続されていて、両部間の冷媒の流れを制御することが可能となっている。そして、ここで用いる室内絞り弁１４の絞付き二方弁は、電気的制御によって開度操作が可能な弁で、開状態（ＯＦＦ時：絞りなし）には全開した状態となり、通常の冷房運転や暖房運転の際は、この全開した状態に制御でき、また閉状態（ＯＮ時：絞り有り）、例えば後述するサイクルドライ運転や除湿運転の際には、適正な絞り面積を有する状態に制御できるようになっている。
【００１３】
なお、後側熱交換部８ａ、前側熱交換部８ｂは、いずれも複数枚のアルミニウム製のフィンとこのフィンを蛇行状に貫通した銅パイプから構成された、いわゆるフィンチューブ熱交換器である。そして、後側熱交換部８ａの面積（空気吸込側の面積）は、前側熱交換部８ｂの面積（空気吸込側の面積）よりも小さく形成されている。
【００１４】
このため、サイクルドライ運転や除湿運転の時には、室内絞り弁１４を絞りの有る閉状態にして、室外熱交換器６と前側熱交換部８ｂの間の室外膨張弁７を全開することで、前側熱交換部８ｂを凝縮器（再熱器）となし、後側熱交換部８ａを蒸発器として作用させることができ、室内ユニット３内に吸込まれる空気は、前側熱交換器８ｂで暖められ、後側熱交換器８ａで冷却されることになるので、低温となっている後側熱交換器は８ａにおいて除湿が可能となる。なお、除湿運転の際の室内絞り弁１４の開度（絞り量）設定と、室外ファン９の送風量や圧縮機４の回転数を適切に制御することで、室内ユニット３からの吹出し空気の温度を細かく調節することができる。
【００１５】
また、両ユニット２，３には、図５に示す基本制御フローチャートに沿った冷凍サイクルの運転を行なうために、それぞれに室外制御部１５と室内制御部１６とが設けられており、両制御部１５，１６は接続線１７によって接続されている。そして、接続線１７を介して所要の制御信号、データのやり取りが両制御部１５，１６間で行なわれ、両制御部１５，１６に接続された両ユニット２，３内各部の運転が行われるようになっている。
【００１６】
また室内制御部１６には、室内ユニット３外に設けられたワイヤレスのリモートコントローラ（以下、リモコンと称す）１８から送信される赤外線信号による運転開始や運転終了の指令、使用者が設定した室温や風量、風向、さらにその他の運転に関わる設定内容等を受信する送受信部１９と、空気調和する部屋Ｒの室温や湿度を検知するサーミスタからなる室温センサ２０と、セラミックで形成された湿度センサ２１が接続され、さらに後側熱交換部８ａに設けられ蒸発部温度を検知する蒸発部温度センサ２２ａと、前側熱交換部８ｂに設けられ凝縮部温度を検知する凝縮部温度センサ２２ｂが接続されている。なお、リモコン１８には、送受信部１９から室温や運転状況等が送信され、その内容が表示されるようになっている。
【００１７】
一方、室内ユニット３は、図１に示すように空気調和を行なう部屋Ｒの天井近くの壁Ｑに設置され、室外ユニット２とは、壁Ｑに形成された図示しない壁開口を介し、接続線１７を併設する冷媒配管２３により接続されている。また室内ユニット３は、前面部分に大きく開口し前面パネル２４によって開閉可能な前側開口２５を有すると共に、上部に上向きに開口する上吸込口２６、下部に下向きに開口する吹出口２７が形成された横長状筐体の本体ケース２８内に、軸方向を長手方向とした横長の横流翼２９を室内モータ３０により回転駆動する室内ファン１０が設けられている。室内モータ３０は、複数段の速度切換が可能で、効率が高く、低速でも安定性の高い直流モータを用いているが、交流モータでもよい。
【００１８】
さらに室内ユニット３の本体ケース２８内部には、前側開口２５及び上吸込口２６から吹出口２７に向かって、室内ファン１０による空気の主通流路３１が形成されている。そして、主通流路３１には、室内ファン１０の上流側に本体ケース２８の幅と略同程度の幅を有する室内熱交換器８が、その前側熱交換部８ｂを前側開口２５に対向させるように、また前側熱交換部８ｂよりも高さ寸法の小さい後側熱交換部８ａを、前側熱交換部８ｂの上部に連接させると共に本体ケース２８の上後部に対向させるようにして配置されている。この時、弧状に形成されている前側熱交換部８ｂは、凸側を前方向にして下端辺縁が主通流路３１の下前部壁部分を構成する隔壁部材３２に設けられた前ドレンパン３３内に位置するように、また後側熱交換部８ａは、下端辺縁が主通流路３１の後部壁部分を構成する背板３４に設けられた後ドレンパン３５内に位置するように設けられている。
なお、室内ユニット３の部屋Ｒ内空気の吸込口となる前側開口２５、上吸込口２６と前側熱交換器８ｂの間の主通流路３１内には、室温センサ２０と湿度センサ２１とが配設されている。
【００１９】
また、前側開口２５を開閉する前面パネル２４は、開口のない円弧状板でなり、パネル用モータ３６により、例えばラックとピニオンの歯車部材３７を有するパネル駆動機構３８によって前後方向に進退して開閉動作を行ない、前側開口２５を開放したり閉塞したりするようになっている。そして冷房、暖房運転や除湿運転さらに乾燥運転の時には前面パネル２３を前進させ、この前進させた状態では、前側開口２５が開放されて吸込口が形成され、室内空気が室内ユニット３内に吸い込まれる。また後述する送風乾燥運転、暖房乾燥運転や停止時には前面パネル２４を後退させ、この後退させた状態では、前側開口２５は閉塞されてごみや埃が室内ユニット３内に侵入するのを防止するようになっている。
【００２０】
また、吹出口２７には、左右方向に細長く形成され、左右端が軸支された後吹出ルーバ３９ａと前吹出ルーバ３９ｂとが、後ルーバ用モータ４０ａと前ルーバ用モータ４０ｂとによってそれぞれ上下方向に回動するように設けられていて、後吹出ルーバ３９ａと前吹出ルーバ３９ｂを回動させることで、吹出口２７が開閉可能となっている。また各モータ４０ａ，４０ｂは個々に動作させることが可能となっており、各吹出ルーバ３９ａ，３９ｂを空気調和機１の運転モードに合わせて独立に回動させ、開閉動作させることで、部屋Ｒ内への空調空気の吹出し方向が上下方向に変えられる。そして、両吹出ルーバ３９ａ，３９ｂを共に閉回動させることで、吹出口２７は閉塞される。
【００２１】
なお、吹出口２７を閉塞する閉塞位置Ｘａ，Ｘｂにあった両吹出ルーバ３９ａ，３９ｂを、空気調和機１の運転モードに合わせ、例えば後吹出ルーバ３９ａでは斜め下向き位置Ｙａ、真下向き位置Ｚａに、前吹出ルーバ３９ｂでは水平やや上向き位置Ｙｂ、斜め下向き位置Ｚｂに開き角度が変えられると共に、さらにそれらの中間位置にも変えられるようになっている。そして、両吹出ルーバ３９ａ，３９ｂの開き角度を運転モードによって変えることで、室内ユニット３から部屋Ｒ内への空調空気の吹出し方向を所望の方向とすることができる。
【００２２】
さらに、吹出口２７部分には、両吹出ルーバ３９ａ，３９ｂの上流側近傍に、左右ルーバ４１が上縁を支持部材４２に軸支され、左右方向に回動可能に設けられていている。そして、左右ルーバ４１を回動させることで、部屋Ｒ内への空調空気の吹出し方向が変えられる。
【００２３】
また、室内ユニット３には、前面開口２５側から見て室内熱交換器８の前側熱交換部８ｂの向かって前面上部右側部分の位置に、前側熱交換部８ｂの約半分の横幅寸法を有する電気集塵機４３が取り付けられている。この電気集塵機４３は、高電圧電源４４が発生する高電圧を、内部に設けた図示しない放電電極と集塵電極との間に印加することにより、集塵動作を行なわせるようになっている。
【００２４】
また一方、室外ユニット２と室内ユニット３に設けられた室外制御部１５と室内制御部１６には、それぞれ図示しないマイクロコンピュータ（Ｃ．Ｐ．Ｕ）が備えられており、それぞれＣ．Ｐ．Ｕに予めプログラムされた内容、あるいは運転に先立って設定された内容に基づき、以下に説明する運転制御が実行されるようになっている。
【００２５】
すなわち、室外制御部１５及び室内制御部１６で行われる運転の基本制御は、図５のフローチャート及び図８の各部の動作状態を示す図に沿って、先ず第１ステップＳ１で、図５（ａ）のリモコン１８の本体１８ａの一部を覆う蓋１８ｂを開け、冷房、暖房、除湿あるいは自動運転の別を選択する運転切換釦４５、除湿釦４６、また室温設定する温度釦４７等を液晶等による表示部１８ｃに表示された内容を見ながら操作して、公知の空気調和機と同様に、所望の運転モードの選択を行なう。
【００２６】
さらに、メニュー釦４８を操作し、図４（ｂ）に示すように釦操作をする毎にサイクリックに切り替わる冷房運転、除湿運転後に行なう後述する運転モードの選択、設定を行なう。ここで設定する運転モードは、室内ユニット３内の乾燥運転を行なう乾燥モード、選択モードなしのいずれのモードを選択するか、表示部１８ｃに表示された内容を見ながら所望の選択を行なう。なお、この運転モード切換を行なった際には、選定した運転モードが表示部１８ｃに所定時間、例えば１０秒間表示され続け、使用者による確認を容易にしている。
【００２７】
そして、空気調和機１の運転開始、停止を行なう運転釦４９を操作し、メインスイッチ１３を閉動作させて電源投入し運転を開始する。
【００２８】
続いて第２ステップＳ２では、設定された運転モードが何かを判別し、冷房モードであれば第３ステップＳ３の冷房運転制御を、また暖房モードであれば第４ステップＳ４の暖房運転制御を、除湿モードであれば第５ステップＳ５の除湿運転制御を、それぞれ説明を省略するが公知の空気調和機と同様に、各部を図８に示す動作状態のようにして行ない、第６ステップＳ６での運転終了したか否かの判断で、運転終了の確認なされるまで行なう。そして、第６ステップＳ６で運転終了が確認されたら第７ステップＳ７に進む。
【００２９】
続いて第７ステップＳ７では、直前の運転モードが冷房または除湿運転のモードであったか否かの判断が行われ、冷房および除湿運転ではなかったと判断された場合には、第８ステップＳ８に進み、運転終了処理を行ない、各部を図８に示す停止状態に制御する。また第７ステップＳ７で、冷房または除湿運転であったと判断された場合には、第９ステップＳ９に進む。
【００３０】
そして第９ステップＳ９では、運転開始時に先立って設定された冷房運転、除湿運転後の運転モード設定が、乾燥モード、選択モードなしのいずれであるかの判断が行われる。そして乾燥モードが設定された場合には、第１０ステップＳ１０で乾燥運転処理を実行し、終了後に第８ステップＳ８に進み、運転終了処理を行なう。また選択モードなしである場合には、そのまま第８ステップＳ８に進み、運転終了処理を行なう。
【００３１】
また、リモコン１８には乾燥釦５０が設けられており、これを必要に応じ使用者が操作することで、フローチャートは省略するが、室内ユニット３内の乾燥運転処理が、上記基本制御とは別に強制的に実行することが可能となっている。
【００３２】
そして、上記の通りの基本制御を行なうようにしているので、空気調和機１は通常の冷房運転や暖房運転、除湿運転を行なうことができるほか、冷房運転または除湿運転後に、以下に記すような乾燥運転処理が、予め運転モードを選択、設定することによって行なえる。なお、こうした運転モードの選択、設定と共に選択なしともすることができるので、運転を停止させたにもかかわらず、継続して乾燥運転処理が行なわれ続けることに不安がある場合に対応し、これら処理が行なわれないよう選択することができる。
【００３３】
また、室外制御部１５及び室内制御部１６には、乾燥運転処理に対応して図６に示す制御ブロックが形成されている。すなわち、５１は乾燥運転制御手段で、これには、室内ユニット３内に設けた室温センサ２０で検知した室温Ｔａと、凝縮部温度センサ２２ｂや蒸発部温度センサ２２ａで検知した凝縮部温度Ｔｃ１、蒸発部温度Ｔｃ２の差が、凝縮部温度差検出手段５２や蒸発部温度差検出手段５３で算出された後、その算出結果が第１運転終了手段５４や第２運転終了手段に入力され、さらに各終了手段５３，５４で予め設定された各基準値Ｋ１，Ｋ２との比較がなされ、その結果が入力されるようになっている。
【００３４】
さらに乾燥運転制御手段５１には、リモコン１８からのメニュー釦４８によって選択された運転モードが乾燥モードであるか否かの信号入力、運転釦４９からの運転終了指示入力、さらに操作乾燥釦５０からの乾燥運転実行の指示入力が加えられるようになっており、また直前の空気調和機１の運転モードがどのようなものであったかのデータも入力されるようになっている。そして、乾燥運転制御手段５１からは、各入力と予め設定されている制御内容に基づく制御信号が、各部品に対し出力されるようになっている。
【００３５】
そして、こうした乾燥運転制御手段５１等のもと、冷房運転または除湿運転後に行われる乾燥運転処理の運転モードの制御は、図７のフローチャート及び図８の各部の動作状態を示す図に沿って行われる。
【００３６】
先ず第１ステップＴ１で、室内制御部１６に設けられた終了モード判別手段（図示せず）によって、前の運転モードが冷房運転であったか否かの判断、冷房運転と除湿運転の区別がなされ、冷房運転であった場合には第２ステップＴ２に進む。第２ステップＴ２では、各部を図８に示すサイクルドライ運転における動作状態となるように設定する。すなわち、圧縮機４は低速に固定し冷凍能力を低下させた状態にし、室外ファン９は低速固定または低速と停止の切換運転とし、室内ファン１０は除湿運転時より低速の極低速に固定し、室内絞り弁１４は絞りの有る閉状態に、室外膨張弁７は開状態に、四方弁５は冷房を行なう位置にしておく。
【００３７】
また室内ユニット３の前面パネル２４は開状態にし、前吹出ルーバ３９ｂは水平やや上向き位置Ｙｂ、後吹出ルーバ３９ａは閉位置Ｘａにする。これにより、前面パネル２４が開状態となっている前面開口２５を吸込口として室内ユニット３内に吸い込まれた室内空気が、主通流路３１を流れ、主として室内熱交換器８の前側熱交換部８ｂ、室内ファン１を通過して吹出口２７から水平よりやや上向きに吹き出され、室内ユニット３近傍を流れて再び直ぐに室内ユニット３内に吸い込まれるようにし、主に前側熱交換部８ｂと主通流路３１内の乾燥を行なう。
なお、電気集塵機４３はＯＦＦ状態にしておく。
【００３８】
次に第３ステップＴ３で、凝縮部温度センサ２２ｂと室温センサ２０により検知した凝縮部温度Ｔｃ１と室温Ｔａの差（Ｔｃ１−Ｔａ）が算出され、算出結果が、予め設定された第１基準値Ｋ１よりも大きいか否かの判断がなされる。そして大きいと判断されるまで比較が継続され、大きくなった時点で第３ステップＴ３を終了して第４ステップＴ４に移行する。
【００３９】
続いて、第４ステップＴ４では、各部を図８に示す送風乾燥運転における動作状態となるように設定する。すなわち、圧縮機４は停止状態とし、室外ファン９も停止状態とする。また室内ファン１０は、継続して除湿運転時より低速、例えば除湿時の回転数を８００ｒｐｍとすると５００ｒｐｍの極低速に固定し、室内絞り弁１４は絞りのない開状態に、室外膨張弁７はそのまま開状態に、四方弁５は冷房を行なう位置にしておく。
【００４０】
また室内ユニット３の前面パネル２４は閉状態にし、前吹出ルーバ３９ｂは水平やや上向き位置Ｙｂ、後吹出ルーバ３９ａは閉位置Ｘａにする。これにより、上吸込口２６を吸込口として室内ユニット３内に吸い込まれた室内空気が、主通流路３１を流れ、室内熱交換器８、室内ファン１を通過して吹出口２７から水平よりやや上向きに吹き出され、室内ユニット３近傍を流れて再び室内ユニット３内に吸い込まれるようにし、室内熱交換器８の後側熱交換部８ａと前側熱交換部８ｂの両方と主通流路３１内の乾燥を行なう。なお、電気集塵機４３はＯＮ状態にしておく。
【００４１】
次に第５ステップＴ５で、蒸発部温度センサ２２ａと室温センサ２０により検知した蒸発部温度Ｔｃ２と室温Ｔａの差（Ｔｃ２−Ｔａ）が算出され、算出結果が、予め設定された第２基準値Ｋ２よりも大きいか否かの判断がなされる。そして大きいと判断されるまで比較が継続され、大きくなった時点で第５ステップＴ５を終了し、予め設定された内容に基づき、図５の基本制御フローチャートにおける第８ステップＳ８の運転終了処理の制御内容に移行する。
【００４２】
また、第１ステップＴ１で、前の運転モードが除湿運転であった場合には、直接、第４ステップＴ４に移行し、以降の上記各ステップを実行して室内ユニット３内の乾燥を行なう。
【００４３】
なお、こうした乾燥運転処理は、前半に一種の除湿運転であるサイクルドライ運転を、また後半に送風運転を行なうよう組み合わせたもので、前の運転モードの冷房または除湿運転によって室内ユニッ卜３内部に発生した大量のドレン水が、多くは図示しないドレンホースを経由して室外に排出されるが、一部が冷房や除湿運転終了後にも前ドレンパン３３や後ドレンパン３５に残ったり、室内熱交換器８等に付着して残ったりし、冷房や除湿運転終了後、室内ユニット３内は侵入した室内空気で温度が上昇し、ドレン水が一気に蒸発を始め、そのままでは室内ユニット３内部の湿度は１００％近くに達することになるので、これを解消するために行なうもので、かびや雑菌にとって絶好の高温多湿の繁殖環境となるのを防止するものである。
【００４４】
また室内ユニット３内部の高温多湿状態を早急に解消するよう、また高温多湿空気が使用者に届かないよう、上記の乾燥運転処理は実行されるようになっている。すなわち、図８に示すようにサイクルドライ運転では、通常の除湿運転と異なり、圧縮機４の回転数を低速固定として冷凍能力を低下させ、室内ファン１０は除湿運転時より低速の極低速とし、室内フアン１０の送風量を極力低減している。また後吹出ルーバ３９ａは閉じ、前吹出ルーバ３９ｂを開くと共に、前吹出ルーバ３９ｂを水平やや上向きとし、前面パネル２４が開いた状態にすることで吹出空気が部屋Ｒ内の居住域に送られることなく、再度室内ユニット３内に戻る、いわゆるショートサーキッ卜運転となっている。
【００４５】
また、室外ファン９は低速固定、または低速と停止の切換状態に保持し、前側熱交換部８ｂの温度を上げて前側熱交換部８ｂに保水されている水分を蒸発させる。さらに、室内ユニット３内を流れる空気温度を上げ、室内ユニット３内部のドレン水の蒸発を早め、さらに室内ファン１０、吹出口２７及び吹出口２７近辺にある各種ルーバ３９ａ，３９ｂ，４１などの温度を上げて結露を防止している。この結果、室内ユニット内の水分は急速に蒸発し、蒸発した室内ユニット３内の水分をショートサーキットにより後側熱交換部８ａ（蒸発器）で凝縮させ、ドレン水として回収するようにしている。
【００４６】
すなわち、冷房運転においては、室内絞り弁１４が開状態であるため、後側熱交換器部８ａ、前側熱交換器部８ｂは、いずれも蒸発器として作用し、両方の熱交換部８ａ，８ｂのフィン表面で室内空気中の水分が凝縮する。凝縮水が多くなるとフィン表面を下方に流れ落ちて両熱交換部８ａ，８ｂの下方にある各ドレンパン３３，３５に落下し、室外に排出される。しかしながら、冷房運転終了時には、両熱交換部８ａ，８ｂにはそれぞれの下部に多く付着するようにしてある程度の凝縮水が残った状態になる。
【００４７】
ここで、サイクルドライ運転により室内絞り弁１４を閉状態にすると後側熱交換部８ａのみが蒸発器となり、前側熱交換部８ｂは凝縮器となって、前側熱交換部８ｂに保水されている凝縮水が蒸発を始める。この時、次の送風乾燥運転では乾燥させることが難しい前側熱交換部８ｂの下部に付着した水分も蒸発する。そして、蒸発した水分は後側熱交換部８ａで再度凝縮する。後側熱交換部８ａは、その面積が小さいため、凝縮水の密度が高くなり、円滑に後ドレンパン３５へと落下し、室外に排出される。この結果、サイクルドライ運転終了時には少なくとも前側熱交換部８ｂに保水されていた凝縮水分だけは室内ユニット３内の水分量を減少させることができる。また、サイクルドライ運転時には除湿運転時よりも室内ファンを低速で運転するため、室内ユニット３内部の水分量の低減効果は除湿運転よりも高い。
【００４８】
一方、サイクルドライ運転を行なった後の送風乾燥運転では、サイクルドライ運転だけでは蒸発器となっている後側熱交換部８ａに付着している水分を取りきることができない。このため、圧縮機４と室外ファン９は停止状態とし、室内ファン１０は極低速運転とし、さらに室内ユニット３の前側開口２５を閉じるよう前面パネル２４は閉状態にした状態で、図１に点線矢印で示すように上吸込口２６を吸込口として室内ユニット３内に吸い込まれた室内空気が、主通流路３１に流れ込み、上吸込口２６直下に設けられた室内熱交換器８の後側熱交換部８ａによく当たるようにして流れ、室内ファン１を通過して吹出口２７から水平よりやや上向きに吹き出され、室内ユニット３近傍を流れて再び室内ユニット３内に吸い込まれて後側熱交換部８ａをよく乾燥させるようにして室内熱交換器８の両熱交換部８ａ，８ｂと、主通流路３１を乾燥させ、室内ユニット３内の乾燥を十分に行なう。
【００４９】
また、サイクルドライ運転の時間については、サイクルドライ運転時に凝縮器となっている前側熱交換部８ｂに設けた凝縮部温度センサ２２ｂが検知した凝縮部温度Ｔｃ１と、室温センサ２０が検知した部屋Ｒ内の室温Ｔａとの差（Ｔｃ１−Ｔａ）を凝縮部温度差検出手段５２で算出し、第１運転終了手段５４で、差（Ｔｃ１−Ｔａ）が予め設定した第１基準値Ｋ１より大きくなったと判断されるまでの時間となっている。また一方、送風乾燥運転の時間については、サイクルドライ運転時に蒸発器となっている後側熱交換部８ａに設けた蒸発部温度センサ２２ａが検知した蒸発部温度Ｔｃ２と、室温センサ２０が検知した部屋Ｒ内の室温Ｔａとの差（Ｔｃ２−Ｔａ）を蒸発部温度差検出手段５３で算出し、第２運転終了手段５５で、差（Ｔｃ２−Ｔａ）が予め設定した第２基準値Ｋ２より大きくなったと判断されるまでの時間となっている。
【００５０】
これは、室内熱交換器８の温度が、付着している水分が蒸発する間はその蒸発潜熱により熱が奪われて低い状態に有り、また付着水分が蒸発し尽くし、室内熱交換器８表面が乾燥すれば高くなる特性に着目したもので、これに基づき運転時間は、適正時間となるよう設定されている。なお、第１基準値Ｋ１は、前側熱交換部８ｂの水分付着状態と予め実験等により設定した適正値となっており、第２基準値Ｋ２は、後側熱交換部８ａの水分付着状態と予め実験等により設定した適正値となっている。
【００５１】
またさらに、サイクルドライ運転の時間については、長時間運転して前側熱交換部８ｂの付着水分が蒸発し尽くすまで行なえば、蒸発した水分が十分に後側熱交換部８ａで回収されるため、その後の送風乾燥運転においては、後側熱交換部８ａに残った少ない水分のみを蒸発させて部屋Ｒ内に吹き出すことで、部屋Ｒ内への多湿空気の放出を低減できると共に、室内ユニット３内の乾燥が十分にできる。また短時間運転して前側熱交換部８ｂの付着水分が蒸発し尽くさず、若干残った状態とした場合には、その後の送風乾燥運転により前側熱交換部８ｂに残った若干の水分と、後側熱交換部８ａの付着水分が部屋Ｒ内に放出されるが、一部は蒸発器の後側熱交換部８ａにて屋外Ｏへと排出された後となるため、従来の送風運転や暖房運転のみで室内ユニット内の乾燥運転を実施するよりも、部屋Ｒ内への放出湿度をすくなくでき、またサイクルドライ運転を長時間行なう場合より乾燥運転処理に要する時間が短縮できる。
【００５２】
以上のように、上記したサイクルドライ運転と送風乾燥運転を組み合わせた乾燥運転処理は、サイクルドライ運転で室内熱交換器８を２つに分け、一方の後側熱交換部８ａを蒸発器に、他方の前側熱交換部８ｂを凝縮器に作用させ、室内ファン１０による風速を抑えると共に、極力新な室内空気を室内ユニット３内部に吸い込まないように構成することで、先ず前側熱交換部８ｂの付着水分を蒸発させるようにして室内ユニット３内部の水分を蒸発させ、これを蒸発器となっている後側熱交換部８ａによって取り除き室外に排水し、さらに、送風乾燥運転で室内ファン１０によって送風することで後側熱交換部８ａの付着水分を蒸発させ、室内ユニット３内部の湿度を効率良く、短時間で低減することができるものである。さらに、この運転においては、部屋Ｒ内に吹き出す空気は蒸発器を通過した空気と凝縮器を通過した空気とが混合されるため、また十分に付着水分を蒸発させた後であるため、部屋Ｒ内への放出湿度を低減することができる。
【００５３】
また、上記のサイクルドライ運転と送風乾燥運転を組み合わせた乾燥運転処理（以下、第１の乾燥運転処理実施例と称す）は、サイクルドライ運転の後に送風乾燥運転を行なうものであるが、以下、図８に示す暖房乾燥運転における各部の動作状態を用い、また図７のフローチャートを参照して説明するサイクルドライ運転と暖房乾燥運転を組み合わせた他の実施形態（以下、第２の乾燥運転処理実施例と称す）のようにして、室内ユニット３内の乾燥を行なうようにしてもよい。
【００５４】
すなわち、第２の乾燥運転処理実施例における運転モードでの制御は、図７のフローチャートに従い、図８の各部の動作状態を示す図に沿って行われる。先ず第１ステップＴ１から第３ステップＴ３までは、第１の乾燥運転処理実施例と同様にサイクルドライ運転が実行される。
【００５５】
続いて、第４ステップＴ４では、各部を図８に示す暖房乾燥運転における動作状態となるように設定する。すなわち、圧縮機４は低速に固定し冷凍能力を低下させた状態にし、室外ファン９は低速固定または低速と停止の切換運転とし、室内ファン１０は除湿運転時より低速の極低速に固定し、室内絞り弁１４は絞りのない開状態に、室外膨張弁７はサイクル温度により絞り量を制御する状態に、四方弁５は暖房を行なう位置にしておく。
【００５６】
また室内ユニット３の前面パネル２４は閉状態にし、前吹出ルーバ３９ｂは水平やや上向き位置Ｙｂ、後吹出ルーバ３９ａは閉位置Ｘａにする。これにより、上吸込口２６を吸込口として室内ユニット３内に吸い込まれた室内空気が、主通流路３１を流れ、室内熱交換器８、室内ファン１を通過して吹出口２７から水平よりやや上向きに吹き出され、室内ユニット３近傍を流れて再び直ぐに室内ユニット３内に吸い込まれるようにし、後側熱交換部８ａと前側熱交換部８ｂと主通流路３１内の乾燥を行なう。なお、電気集塵機４３はＯＦＦ状態にしておく。
【００５７】
次に第５ステップＴ５で、蒸発部温度センサ２２ａと室温センサ２０により検知した蒸発部温度Ｔｃ２と室温Ｔａの差（Ｔｃ２−Ｔａ）が算出され、算出結果が、予め設定された第２基準値Ｋ２よりも大きいか否かの判断がなされる。そして大きいと判断されるまで比較が継続され、大きくなった時点で第５ステップＴ５を終了し、予め設定された内容に基づき、図５の基本制御フローチャートにおける第８ステップＳ８の運転終了処理の制御内容に移行する。
【００５８】
また、第１ステップＴ１で、前の運転モードが除湿運転であった場合には、第１の乾燥運転処理実施例と同様に直接、第４ステップＴ４に移行し、以降の上記各ステップを実行して室内ユニット３内の乾燥を行なう。
【００５９】
これにより、第２の乾燥運転処理実施例においても、第１の乾燥運転処理実施例と同様、室内ユニット３内部の湿度を効率良く、短時間で低減することができ、部屋Ｒ内への放出湿度を低減することができる等の効果が得られる。
【００６０】
なお、上記の実施形態においては、冷房運転や除湿運転の後に乾燥運転処理を連続して行なうものであるが、リモコン１８に設けられた乾燥釦５０を操作することにより、冷房、暖房運転や除湿運転、自動運転とは別に、上記のサイクルドライ運転と送風乾燥運転を組み合わせた乾燥運転処理、あるいはサイクルドライ運転と暖房乾燥運転を組み合わせた乾燥運転処理が、図７に示すフローチャートにしたがって第１ステップＴ１から順次強制的に実行することが可能となっている。これにより随時、必要に応じて室内ユニット３内を乾燥させることができる。
【００６１】
【発明の効果】
以上の説明から明らかなように、本発明によれば、空気調和している室内に多湿空気を吹き出すことで居住者の快適感を損ねる虞も少なく、冷房運転停止後の室内ユニット内の高温多湿状態を比較的短時間のうちに解消し、雑菌やかびの繁殖を低減させことができ、かびや雑菌の増殖による異臭発生の防止し、衛生的に良好な調和空気の吹き出しが行なえる等の効果を奏する。
【図面の簡単な説明】
【図１】本発明の一実施形態における室内ユニットを示す断面図である。
【図２】本発明の一実施形態における冷凍サイクルを示す図である。
【図３】本発明の一実施形態における制御回路図である。
【図４】本発明の一実施形態におけるリモートコントローラを示す図で、図４（ａ）は平面図、図４（ｂ）はメニュー釦による切換え内容を示す図である。
【図５】本発明の一実施形態に係る基本制御のフローチャートである。
【図６】本発明の一実施形態に係る制御ブロック図である。
【図７】本発明の一実施形態に係る乾燥運転処理時のフローチャートである。
【図８】本発明の一実施形態に係る各運転モードにおける各部の動作状態を一覧にして示す図である。
【符号の説明】
３…室内ユニット
８…室内熱交換器
８ａ…後側熱交換部
８ｂ…前側熱交換部
１０…室内ファン
１４…室内絞り弁
１６…室内制御部
１８…リモートコントローラ
２０…室温センサ
２２ａ…蒸発部温度センサ
２２ｂ…凝縮部温度センサ
２５…前面開口
２６…上吸込口
２７…吹出口
５０…乾燥釦
５１…乾燥運転制御手段
５２…凝縮部温度差検出手段
５３…蒸発部温度差検出手段
５４…第１運転終了手段
５５…第２運転終了手段
【図１】
0004548979.tif 000002
【図２】
0004548979.tif 000003
【図３】
0004548979.tif 000004
【図４】
0004548979.tif 000005
【図５】
0004548979.tif 000006
【図６】
0004548979.tif 000007
【図７】
0004548979.tif 000008
【図８】
0004548979.tif 000009